(57)【特許請求の範囲】
【請求項１】
走行車輌（２）に装着され、消毒用の薬液を貯溜する薬液タンク（１２）と、該薬液タンク（１２）からの薬液を間欠的に吸入し吐出する２組の間欠駆動ポンプ（７・８）とを備え、各間欠駆動ポンプ（７・８）間における薬液吸入時期の位相が少なくとも一部で異なる土壌消毒機において、前記薬液タンク（１２）から間欠駆動ポンプ（７・８）までの吸入流路（２９）の途中部に、前記薬液タンク（１２）からの薬液を分岐して、各間欠駆動ポンプ（７・８）に吸入させる分岐構造（２９ｃ）を設け、前記間欠駆動ポンプ（７・８）から薬液の吐出口までの吐出流路と、前記吸入流路（２９）との少なくとも一方の途中部に、薬液流を確認するための薬液流確認計（１５）を設け、該薬液流確認計（１５）には、前記間欠駆動ポンプ（７・８）によって間欠的に吸入または吐出される薬液の脈動により往復移動する遊動体（５５）を設け、該遊動体（５５）の往復移動方向を、略鉛直方向に設定し、前記薬液流確認計（１５）を固定するための取付プレート（１４）を備え、該取付プレート（１４）には階段状の取付部（１４ａ）を設け、各階段状の取付部（１４ａ）から突設した支持ステー（１４ｂ）に、前記薬液流確認計（１５）の取付ステー（５７）を固定したことを特徴とする土壌消毒機。
【請求項２】
請求項１記載の土壌消毒機において、前記間欠駆動ポンプ（７・８）の各組において、両間欠駆動ポンプ（７・８）間における薬液吸入時期の位相を略１８０度ずらしたことを特徴とする土壌消毒機。
【発明の詳細な説明】
【技術分野】
【０００１】
本発明は、園芸作物や野菜等を栽培する圃場において発生する、立枯れ病の病原菌等をあらかじめ殺菌・消毒するため、トラクタ等の走行車輌に装着して、播種前の圃場に薬液を注入する土壌消毒機に関する。
【背景技術】
【０００２】
従来より、トラクタ等の走行車輌に装着されるマルチ同時土壌消毒機においては、ダイヤフラム等の間欠駆動ポンプによって、薬液タンクからの薬液を吸入ホースを介して吸入した後、圧力を付加して吐出ホースから吐出し、薬液注入爪を介して土壌内に注入する技術、更には、前記吸入ホースや吐出ホースの途中部に薬液流確認計を設けて薬液の吸入や吐出の有無を目視で確認する技術が公知となっている（例えば特許文献１）。
【特許文献１】特許第３０２９９１０号公報
【発明の開示】
【発明が解決しようとする課題】
【０００３】
前記間欠駆動ポンプによる消毒作業の作業効率の更なる向上を図るには、複数の間欠駆動ポンプを並置して多数の薬液注入爪を使用可能とすることで、薬液の注入範囲を拡大すると共に、各間欠駆動ポンプ間における薬液吸入時期をずらして土壌内に薬液を注入する薬液注入時期もずらすことで、間欠駆動に起因する未注入期間を短縮することが、極めて有効である。しかし、これに伴い、吸入ホースの本数も増加するため、薬液タンクにはたくさんの吸入ホースの吸入端が挿入されることとなる。ところが、薬液のガス化やオーバーフローによる流出などを防止する目的から薬液タンクの薬液取出口は小さく設計されており、そのために吸入端を挿入できない吸入ホース用として新たに薬液タンクを開缶する必要が生じ、その結果、薬液が残った開缶済みの薬液タンクが増え、このような開缶済みの薬液タンクでは、薬液タンク内に浸入した水分による薬液タンク本体の腐食の促進、該薬液タンク本体と缶蓋との隙間からの薬液ガスの流出、または外気に暴露されたことによる薬液自体の品質劣化、等が生じるという問題があった。また、前記薬液流確認計では、外部から内部を目視可能な筒内に遊動体が内設され、該遊動体は、前記間欠駆動ポンプによって間欠的に吸入される薬液の脈動により前記筒内を往復移動可能に構成されると共に、その往復移動方向は、略水平方向に設定されている。しかしながら、トラクタ等の走行車輌に装着された土壌消毒機にあっては、作業中のエンジン駆動や走行・旋回に伴う振動は、鉛直方向成分に比べて水平方向成分が著しく大きいため、該水平方向成分のせいで遊動体自体が薬液流確認計の筒内で往復移動方向に大きく振動してピストンとして薬液に作用し、吸入流路内の薬液を強制的に脈動させる結果、薬液の注入・停止の確実な制御ができずに、薬液注入爪等からの液だれが発生する、という問題があった。
【課題を解決するための手段】
【０００４】
本発明の解決しようとする課題は以上の如くであり、次にこの課題を解決するための手段を説明する。
請求項１においては、走行車輌（２）に装着され、消毒用の薬液を貯溜する薬液タンク（１２）と、該薬液タンク（１２）からの薬液を間欠的に吸入し吐出する２組の間欠駆動ポンプ（７・８）とを備え、各間欠駆動ポンプ（７・８）間における薬液吸入時期の位相が少なくとも一部で異なる土壌消毒機において、前記薬液タンク（１２）から間欠駆動ポンプ（７・８）までの吸入流路（２９）の途中部に、前記薬液タンク（１２）からの薬液を分岐して、各間欠駆動ポンプ（７・８）に吸入させる分岐構造（２９ｃ）を設け、前記間欠駆動ポンプ（７・８）から薬液の吐出口までの吐出流路と、前記吸入流路（２９）との少なくとも一方の途中部に、薬液流を確認するための薬液流確認計（１５）を設け、該薬液流確認計（１５）には、前記間欠駆動ポンプ（７・８）によって間欠的に吸入または吐出される薬液の脈動により往復移動する遊動体（５５）を設け、該遊動体（５５）の往復移動方向を、略鉛直方向に設定し、前記薬液流確認計（１５）を固定するための取付プレート（１４）を備え、該取付プレート（１４）には階段状の取付部（１４ａ）を設け、各階段状の取付部（１４ａ）から突設した支持ステー（１４ｂ）に、前記薬液流確認計（１５）の取付ステー（５７）を固定したものである。
請求項２においては、請求項１記載の土壌消毒機において、前記間欠駆動ポンプ（７・８）の各組において、両間欠駆動ポンプ（７・８）間における薬液吸入時期の位相を略１８０度ずらしたものである。
【発明の効果】
【０００５】
本発明は、以上のように構成したので、以下に示す効果を奏する。
すなわち、請求項１においては、走行車輌に装着され、消毒用の薬液を貯溜する薬液タンクと、該薬液タンクからの薬液を間欠的に吸入し吐出する複数の間欠駆動ポンプとを備え、各間欠駆動ポンプ間における薬液吸入時期の位相が少なくとも一部で異なる土壌消毒機において、前記薬液タンクから間欠駆動ポンプまでの吸入流路の途中部に、薬液タンクからの薬液を分岐して各間欠駆動ポンプに吸入させる分岐構造を設けたので、吸入ホース等の吸入流路の吸入端の数を減らして、少ない薬液タンクで消毒作業を実施することができ、開缶済みの薬液タンクの数を減らして、開缶により発生する、薬液タンク中に浸入した水分による薬液タンク本体の腐食促進、該薬液タンク本体と缶蓋との隙間からの薬液ガスの流出、外気に暴露されたことによる薬液自体の品質劣化を、防止することができる。更に、土壌消毒機に予備の薬液タンクを積載するための空間を確保することができ、同種又は異種の薬液の入った薬液タンクを薬液タンク保管所等まで消毒作業中に取りに戻る必要がなくなり、作業範囲の拡大や使用薬液の変更を作業中でも迅速に行うことができ、消毒作業効率の更なる向上を図ることができる。
また、各間欠駆動ポンプ間における薬液吸入時期の位相が全く同じ場合には、薬液タンクから分岐構造までの吸入流路は、複数の間欠駆動ポンプによって同時に使用されるために著しい拡径化が避けられないが、本発明のように薬液吸入時期の位相が少なくとも異なるという条件下では、分散使用が可能であり、吸入流路の吸入端の拡径を抑制して薬液タンクの薬液取出口に挿入可能な吸入端の数をできるだけ多くすることができ、上述の分岐構造の効果を更に有効に発揮することができる。
また、前記間欠駆動ポンプから薬液の吐出口までの吐出流路と、前記吸入流路との少なくとも一方の途中部に、薬液流を確認するための薬液流確認計を設け、該薬液流確認計には、前記間欠駆動ポンプによって間欠的に吸入または吐出される薬液の脈動により往復移動する遊動体を設け、該遊動体の往復移動方向を、略鉛直方向に設定するので、作業中のエンジン駆動や走行・旋回に伴う振動のせいで遊動体が往復移動方向に大きく振動することがなく、吸入流路内の薬液の強制的な脈動を軽減することができ、薬液注入爪等からの液だれを防止して、薬液の注入・停止を確実に制御することができる。
また、前記薬液流確認計を固定するための支持体を備え、該支持体には階段状の取付部を設けるので、薬液流確認計を、前記取付部に上下方向にずらして配置することができ、隣接する薬液流確認計間の空間を拡大できるため、薬液流確認計の支持体からの着脱が容易となり、メンテナンス性の向上を図ることができる。
請求項２においては、前記間欠駆動ポンプの各組において、両間欠駆動ポンプ間における薬液吸入時期の位相を略１８０度ずらすので、一方の間欠駆動ポンプの薬液吸入時期と、他方の間欠駆動ポンプの薬液吸入休止時期とを完全に一致させることができ、薬液タンクから分岐構造までの吸入流路を両間欠駆動ポンプが同時に使用することがないため、薬液タンクから分岐構造までの吸入流路を、分岐構造から両間欠駆動ポンプまでの吸入流路よりも拡径する必要がなく、同一規格のホース部品を使用することができ、部品共通化による部品コストの低減を図ることができる。更には、両間欠駆動ポンプのいずれかより薬液注入爪に薬液を常時供給することができ、間欠駆動に起因する未注入期間を完全になくし、消毒作業の作業効率を更に高めることができる。
【発明を実施するための最良の形態】
【０００６】
次に、発明の実施の形態を説明する。図１は本発明に関わる土壌消毒機の全体構成を示す斜視図、図２は同じく側面図、図３は薬液供給構成を示す説明図、図４は薬液流確認計の構造を示す薬液流確認計の斜視図、図５は取付プレートの構造を示す取付プレートの斜視図である。
【０００７】
まず、本発明に係わる土壌消毒機１の全体構成について、図１、図２により説明する。なお、本実施例の土壌消毒機１は、トラクタ等の走行車輌２の後部に装着する牽引タイプであるが、走行車輌２の前部にポンプやタンクを装着するタイプでもよく、装着位置や移動形式は特に限定されるものではない。この走行車輌２のトップリンクとロアリンクが、土壌消毒機１の本体前部のトップリンクマスト３に装着され、該トップリンクマスト３の左右両側にはサブソイラ４Ｌ・４Ｒが配置され、該サブソイラ４Ｌ・４Ｒは、走行車輌２のタイヤの通過位置を通るように構成している。
【０００８】
前記サブソイラ４の後部には、後方に開いた平面視コ字状のメインフレーム５が配置され、該メインフレーム５には複数の薬液注入爪６・６・・・が配置されている。そして、該薬液注入爪６・６・・・の後部には、駆動部９と、該駆動部９によって間欠駆動される第一薬液ポンプ７と第二薬液ポンプ８が機体左右方向に複数組配置され、これら駆動部９、第一薬液ポンプ７、第二薬液ポンプ８は、前記メインフレーム５に連結された支持フレーム１０によって支持されている。
【０００９】
前記メインフレーム５の上方には、薬液タンク１２を載置するタンク載置台１１・１１が配置され、該左右のタンク載置台１１の間には、前記メインフレーム５の後部に立設されたポール１３の上端に固定された取付プレート１４が配置され、該取付プレート１４には複数の薬液流確認計１５が取り付けられている。
【００１０】
前記駆動部９、第一薬液ポンプ７、第二薬液ポンプ８の後部には土壌均平板１６が配置され、該土壌均平板１６は、前記メインフレーム５の左右端部から後方に突設されると共に、前後フレーム１７・１７に支持されており、該前後フレーム１７上の支持部１８を介して前後方向に摺動可能に構成されている。これにより、土のたまり量が多くて駆動輪１９の回転に支障をきたす場合には、土壌均平板１６を後方へ移動させることができる。
【００１１】
該土壌均平板１６の左右側方位置には、溝切りディスク２０Ｌ・２０Ｒが配置されており、該溝切りディスク２０Ｌ・２０Ｒは、前記前後フレーム１７・１７後端部の折り畳み部２１・２１に枢支されるＬ字型の支持フレーム２２・２２に支持されている。該支持フレーム２２・２２には、マルチフィルム２３を巻いた状態のフィルム筒２４が架設支持され、該フィルム筒２４は、前記溝切りディスク２０の後方位置に配置されている。
【００１２】
該フィルム筒２４の後部には、フィルム押圧輪２５・２５と覆土ディスク２６・２６が配置され、該フィルム押圧輪２５・２５と覆土ディスク２６・２６は、前記支持フレーム２２の後端部に枢支される解除支持フレーム２７に支持されている。該解除支持フレーム２７は、バネ２８の付勢力によって上方へ回動解除可能に構成されており、作業終了後は、上方へ回動して収納位置に維持されるようにしている。
【００１３】
このような構成において、消毒作業時には、前記サブソイラ４Ｌ・４Ｒにより走行車輌２のタイヤの軌跡を消した後、薬液注入爪６・６・・・により薬液を土壌内に注入し、この土壌の上を駆動部９の駆動輪１９・１９・・・にて鎮圧することにより薬液を圧封し、その後、土壌均平板１６により土壌表面を均平にし、溝切りディスク２０Ｌ・２０Ｒにより土壌に溝を設け、該溝にフィルム筒２４のマルチフィルム２３の左右の端部をフィルム押圧輪２５により押圧した状態で、覆土ディスク２６にて覆土し、これにより、マルチフィルム２３が風で飛ぶことのないように押さえ、消毒力の強い薬液が気化してマルチフィルム２３の下に滞留し、土壌内を完全に消毒できるようにしている。
【００１４】
次に、前記薬液ポンプ７・８による薬液タンク１２から薬液注入爪６までの薬液供給構成について、図３により説明する。前記薬液タンク１２上部には薬液取出口１２ａが開口され、該薬液取出口１２ａから、薬液タンク１２の内部に吸入ホース２９の吸入端２９ａが挿入され、該吸入端２９ａは、薬液タンク１２内に貯溜された薬液５１中に浸漬されている。そして、この吸入ホース２９は、途中の分岐部２９ｃで、前記吸入端２９ａに連通する１本のタンク側ホース２９ｂから、第一ポンプ側ホース２９ｄと第二ポンプ側ホース２９ｅとの２本のホースに分岐した後、それぞれ第一薬液流確認計１５ａと第二薬液流確認計１５ｂを介して、前記第一薬液ポンプ７の吸入弁３６と第二薬液ポンプ８の吸入弁３８とに接続されている。
【００１５】
この第一薬液ポンプ７は、該吸入弁３６と吐出弁３７とを上方に突設する固定壁４７と、該固定壁４７の下部に取り付けられたダイヤフラム可動壁４８と、これら固定壁４７とダイヤフラム可動壁４８との間に形成される図示せぬポンプ室とから構成され、該ダイヤフラム可動壁４８は弾性材料から成ると共に、その下部中央部は、ロッド４３を介してカムフォロワ４５に連結されている。そして、該カムフォロワ４５は、前記駆動輪１９間に横架された枢支軸４０に中心が固定された第一カム４１上に当接されている。
【００１６】
第二薬液ポンプ８においても同様に、前記吸入弁３８と吐出弁３９とを上方に突設する固定壁４９と、該固定壁４９の下部に取り付けられたダイヤフラム可動壁５０と、これら固定壁４９とダイヤフラム可動壁５０との間に形成される図示せぬポンプ室とから構成され、該ダイヤフラム可動壁５０の下部中央部は、ロッド４４を介してカムフォロワ４６に連結され、該カムフォロワ４６も前記枢支軸４０に固定された第二カム４２上に当接されている。
【００１７】
そして、該第二カム４２の外周には凸部４２ａと凹部４２ｂとが交互に形成され、前記第一カム４１の外周にも凸部４１ａと凹部４１ｂが交互に形成されており、第一カム４１の凸部４１ａ・凹部４１ｂと、第二カム４２の凸部４２ａ・凹部４２ｂとは、枢支軸４０に対して、軸芯方向視でそれぞれが重複しないように配設されている。
【００１８】
このような構成において、走行車輌によって牽引されて土壌消毒機１が移動し、駆動輪１９が回転されると、枢支軸４０が回転して前記カム４１・４２によって、ダイヤフラム可動壁４８・５０の一方が下降して他方が上昇する。例えば、ダイヤフラム可動壁４８が下降しダイヤフラム可動壁５０が上昇した際には、第一薬液ポンプ７のポンプ室容積が拡大し、前記薬液タンク１２内の薬液５１が、吸入端２９ａ、タンク側ホース２９ｂ、分岐部２９ｃ、ポンプ側ホース２９ｄ、薬液流確認計１５ａ、吸入弁３６を介して、第一薬液ポンプ７のポンプ室内に吸入される。この吸入された薬液は、次に、ダイヤフラム可動壁４８が上昇しダイヤフラム可動壁５０が下降し、第一薬液ポンプ７のポンプ室容積が縮小した際に、ポンプ室内から吐出弁３７を介して第一吐出ホース３０に吐き出される。
【００１９】
第二薬液ポンプ８についても同様に、ポンプ室容積の拡大・縮小に伴って、前記第一薬液ポンプ７とは逆のタイミングで、薬液タンク１２内の薬液５１が、吸入端２９ａ、タンク側ホース２９ｂ、分岐部２９ｃ、ポンプ側ホース２９ｅ、薬液流確認計１５ｂ、吸入弁３８を介して、第二薬液ポンプ８のポンプ室内に吸入され、更に、該ポンプ室内から吐出弁３９を介して第二吐出ホース３１に吐き出される。
【００２０】
つまり、第一薬液ポンプ７が薬液５１を吸入している間（以下「薬液吸入時期」とする）には、第二薬液ポンプ８は、薬液５１の吸入を休止して吐出を行っており（以下「薬液吸入休止時期」とする）、第一薬液ポンプ７が薬液５１を吐出している間は、第二薬液ポンプ８は、薬液５１の吐出を休止して吸入を行っているのである。しかも、このような第一薬液ポンプ７、第二薬液ポンプ８のいずれにおいても、共通の吸入端２９ａから薬液５１を吸入するようにしている。
【００２１】
また、前記薬液注入爪６の背面には、深い位置に吐出口３４ａを開口した第一薬液注入ノズル３４と、浅い位置に吐出口３５ａを開口した第二薬液注入ノズル３５とが固定され、これら第一薬液注入ノズル３４と第二薬液注入ノズル３５に、それぞれ前記第一吐出ホース３０と第二吐出ホース３１が接続されており、前記第一薬液ポンプ７と第二薬液ポンプ８からの薬液が異なる深さに交互に注入されるようにしている。これにより、走行中、前後方向の第一薬液注入ノズル３４の注入円の間に、第二薬液注入ノズル３５の注入円が入り込む形で薬液が注入され、未注入範囲が小さくなり、薬液注入による消毒範囲が広がり、消毒効果がより大きくなるようにしている。
【００２２】
なお、前記第一吐出ホース３０・第二吐出ホース３１の途中部には、それぞれ第一コック３２・第二コック３３が介設され、このうちの第一コック３２の開閉操作により、第一薬液注入ノズル３４による薬液の注入・停止、第二コック３３の開閉操作により、第二薬液注入ノズル３５による薬液の注入・停止を操作できるようにしている。
【００２３】
すなわち、走行車輌２に装着され、消毒用の薬液５１を貯溜する薬液タンク１２と、該薬液タンク１２からの薬液５１を間欠的に吸入し吐出する複数の間欠駆動ポンプである第一薬液ポンプ７・第二薬液ポンプ８とを備え、該第一薬液ポンプ７と第二薬液ポンプ８間における薬液吸入時期の位相が少なくとも一部で異なる土壌消毒機１において、前記薬液タンク１２から第一薬液ポンプ７・第二薬液ポンプ８までの吸入流路である吸入ホース２９の途中部に、薬液タンク１２からの薬液５１を分岐して第一薬液ポンプ７と第二薬液ポンプ８に吸入させる分岐構造である分岐部２９ｃを設けたので、吸入ホース２９等の吸入流路の吸入端の数を減らして、少ない薬液タンク１２で消毒作業を実施することができ、開缶済みの薬液タンク１２の数を減らして、開缶により発生する、薬液タンク中に浸入した水分による薬液タンク本体の腐食促進、該薬液タンク本体と缶蓋との隙間からの薬液ガスの流出、外気に暴露されたことによる薬液自体の品質劣化を、防止することができる。更に、土壌消毒機１に予備の薬液タンクを積載するための空間を確保することができ、同種又は異種の薬液の入った薬液タンクを薬液タンク保管所等まで消毒作業中に取りに戻る必要がなくなり、作業範囲の拡大や使用薬液の変更を作業中でも迅速に行うことができ、消毒作業効率の更なる向上を図ることができる。また、第一薬液ポンプ７と第二薬液ポンプ８間における薬液吸入時期の位相が全く同じ場合には、薬液タンク１２から分岐部２９ｃまでの吸入流路であるタンク側ホース２９ｂは、第一薬液ポンプ７と第二薬液ポンプ８によって同時に使用されるために著しい拡径化が避けられないが、本発明のように薬液吸入時期の位相が少なくとも一部で異なるという条件下では、分散使用が可能であり、タンク側ホース２９ｂの吸入端２９ａの拡径を抑制して薬液タンク１２の薬液取出口１２ａに挿入可能な吸入端２９ａの数をできるだけ多くすることができ、上述の分岐構造である分岐部２９ｃの効果を更に有効に発揮することができるのである。
【００２４】
更に、本実施例のように、各組の前記第一薬液ポンプ７・第二薬液ポンプ８において、両薬液ポンプ７・８間における薬液吸入時期の位相を略１８０度ずらすと、一方の間欠駆動ポンプの薬液吸入時期と、他方の間欠駆動ポンプの薬液吸入休止時期とを完全に一致させることができ、薬液タンク１２から分岐構造である分岐部２９ｃまでの吸入流路であるタンク側ホース２９ｂを第一薬液ポンプ７・第二薬液ポンプ８が同時に使用することがないため、タンク側ホース２９ｂを、分岐部２９ｃから第一薬液ポンプ７・第二薬液ポンプ８までの吸入流路であるポンプ側ホース２９ｄ・２９ｅよりも拡径する必要がなく、同一規格のホース部品を使用することができ、部品共通化による部品コストの低減を図ることができる。更には、第一薬液ポンプ７・第二薬液ポンプ８のいずれかより薬液注入爪６に薬液を常時供給することができ、間欠駆動に起因する未注入期間を完全になくし、消毒作業の作業効率を更に高めることができる。
【００２５】
なお、本実施例では、左右方向に所定間隔をあけて配設された各薬液注入爪に、深さを変えて複数の吐出口を設け、該吐出口から薬液を異なる深さに注入するようにしているが、各薬液注入爪には単一の吐出口を設け、所定の深さのみに薬液を注入するようにしてもよく、また、間欠駆動ポンプの各組の数を３個以上として、特定の間欠駆動ポンプが他の間欠駆動ポンプと同位相であってもよい。すなわち、薬液吸入時期の位相が一部でも異なる土壌消毒機であればよく、薬液の吐出位置、各組の間欠駆動ポンプ数等に限定されるものではない。
【００２６】
次に、薬液流確認計１５の構造について、前記第一薬液流確認計１５ａをもとに図４により説明する。なお、他の薬液流確認計についても同じ構造を有する。第一薬液流確認計１５ａは、前記ポンプ側ホース２９ｄの途中に吸入流路の一部を構成するように、硬質ガラス又は樹脂等から成る透明なのぞき窓５３を少なくとも一部に設けたパイプ状の筒体５２が挿入され、該筒体５２に、例えば浮子から成る遊動体５５と、該遊動体５５に付勢力を付与するバネ５４とが収納されて構成されている。該遊動体５５は、筒体５２内をその長さ方向に往復移動可能であり、前記バネ５４によって筒体５２内の所定位置に保たれるように収納されている。
【００２７】
前述のようにして、第一薬液ポンプ７によってポンプ側ホース２９ｄに吸入された薬液が前記筒体５２内に流入すると、筒体５２内に薬液流が生じ、該薬液流によって、遊動体５５は、流れ方向の力を受け、所定位置に保とうとするバネ５４による保持力に抗して、流れ方向に移動するようになる。その後、第一薬液ポンプ７によるポンプ側ホース２９ｄへの吸入が停止すると、これに伴い、筒体５２内への薬液の流入も停止し、筒体５２内の薬液流が停止する。すると、それまで薬液流によって遊動体５５が受けていた流れ方向の力も無くなるので、筒体５２内でバネ５４の保持力に抗して移動していた遊動体５５は、元の所定位置に復帰するようになる。このような遊動体５５の往復移動の状態を監視することにより、薬液流の有無を確認することができるのである。
【００２８】
そして、このような遊動体５５の往復移動方向５６が略鉛直方向となるように、薬液流確認計１５ａは立設状態に配設されている。これにより、たとえ、作業中のエンジン駆動や走行・旋回に伴って大きな振動が発生しても、主たる振動成分である水平方向成分が前記往復移動方向５６とは一致することがないため、遊動体５５の往復動に異常な振動が加算わり遊動体５５がピストンとして薬液に作用して大きな脈動が発生するのを、確実に防止することができる。なお、本実施例では、薬液流確認計１５は吸入流路である吸入ホース２９の途中部にのみ設けているが、吐出流路である第一吐出ホース３０や第二吐出ホース３１の途中部に設けてもよく、その設置位置は、薬液の脈動が検出可能であれば特に限定されるものではない。
【００２９】
すなわち、間欠駆動ポンプである第一薬液ポンプ７・第二薬液ポンプ８から薬液の吐出口３４ａ・３５ａまでの吐出流路である第一吐出ホース３０・第二吐出ホース３１と、前記吸入流路である吸入ホース２９との少なくとも一方の途中部に、薬液流を確認するための薬液流確認計１５を設け、該薬液流確認計１５には、前記第一薬液ポンプ７・第二薬液ポンプ８によって間欠的に吸入または吐出される薬液５１の脈動により往復移動する遊動体５５を設け、該遊動体５５の往復移動方向５６を、略鉛直方向に設定するので、作業中のエンジン駆動や走行・旋回に伴う振動のせいで遊動体５５が往復移動方向５６に大きく振動することがなく、吸入ホース２９内の薬液５１の強制的な脈動を軽減することができ、薬液注入爪６等からの液だれを防止して、薬液の注入・停止を確実に制御することができるのである。
【００３０】
次に、前記取付プレート１４の構造について、図５により説明する。該取付プレート１４の下部中央部は、前記ポール１３上端に押さえ具６０によってボルト５９で固定されると共に、取付プレート１４には階段状に複数の取付部１４ａが形成されると共に、各取付部１４ａで階段側の側辺からは支持ステー１４ｂが前方（図５では手前）に突設されている。該支持ステー１４ｂには、前記薬液流確認計１５から後方に突設された取付ステー５７が、ボルト５８によって着脱自在に締結固定されている。
【００３１】
このような構成において、薬液流確認計１５を固定した支持ステー１４ｂと、該薬液流確認計１５に隣接する薬液流確認計１５との間には、上下方向に広い作業空間を確保することができ、薬液流確認計１５内のバネ５４が腐食されて交換する必要が生じた場合等には、前記ボルト５８の着脱を前記作業空間で容易に実施することができる。
【００３２】
すなわち、前記薬液流確認計１５を固定するための支持体である取付プレート１４を備え、該取付プレート１４には階段状の取付部１４ａを設けるので、薬液流確認計１５を、前記取付部１４ａに上下方向にずらして配置することができ、隣接する薬液流確認計１５間の空間を拡大できるため、薬液流確認計１５の取付プレート１４からの着脱が容易となり、メンテナンス性の向上を図ることができる。
【産業上の利用可能性】
【００３３】
本発明は、土壌消毒機だけでなく、間欠駆動タイプのポンプを備えたあらゆる液体吐出装置に適用することができる。
【図面の簡単な説明】
【００３４】
【図１】本発明に関わる土壌消毒機の全体構成を示す斜視図である。
【図２】同じく側面図である。
【図３】薬液供給構成を示す説明図である。
【図４】薬液流確認計の構造を示す薬液流確認計の斜視図である。
【図５】取付プレートの構造を示す取付プレートの斜視図である。
【符号の説明】
【００３５】
１  土壌消毒機
２  走行車輌
７・８  間欠駆動ポンプ
１２  薬液タンク
１４  支持体
１４ａ  取付部
１５  薬液流確認計
２９  吸入流路
２９ｃ  分岐構造
５１  薬液
５５  遊動体
５６  往復移動方向
【図１】
0004700503.tif 000002
【図２】
0004700503.tif 000003
【図３】
0004700503.tif 000004
【図４】
0004700503.tif 000005
【図５】
0004700503.tif 000006